(57)【要約】【課題】不用意なバッテリーの脱落によるデータの紛失等を防止する事を目的とするものである。【解決手段】携帯式電子機器の適所に、一面を開口した凹状のバッテリーケース６を設けると共に、このバッテリーケース内にバッテリー５を着脱自在に収納するものにおいて、開口の周囲に、先端がバッテリーケースの側壁１７よりケース内に出没してバッテリーの側面に設けたロック溝２０に係入し、かつ弾性材１９にて常時ロック溝との係合方向に付勢したロック手段７，１３をスライド自在に装着すると共に、ロック手段に、弾性材２５にて常時外側に向けて付勢されてロック手段のスライド操作を禁止し、電子機器内部方向への押し下げ操作によりロック手段のスライド操作を可能とするロックボタン２２を設けて成るものである。【選択図】　　図２
2004119282.tif 000002
【特許請求の範囲】
【請求項１】
携帯式電子機器の適所に、一面を開口した凹状のバッテリーケースを設けると共に、このバッテリーケース内にバッテリーを着脱自在に収納するものにおいて、上記開口の周囲に、先端が上記バッテリーケースの側壁よりケース内に出没して、上記バッテリーの側面に設けたロック溝に係入し、かつ弾性材にて常時ロック溝との係合方向に付勢したロック手段をスライド自在に装着すると共に、上記ロック手段に、弾性材にて常時外側に向けて付勢されてロック手段のスライド操作を禁止し、電子機器内部方向への押し下げ操作によりロック手段のスライド操作を可能とするロックボタンを設けた事を特徴とする携帯式電子機器のバッテリーロック機構。
【請求項２】
上記ロックボタンの適所に対向位置して、このロックボタンの押し下げ操作を検出する検出スイッチを設けた事を特徴とする、上記請求項１に記載の携帯式電子機器のバッテリーロック機構。
【請求項３】
上記電子機器の内部適所に、補助バッテリーを設けると共に、電子機器が作動中に上記検出スイッチにてロックボタンの押し下げ操作を検出すると、上記バッテリーからの給電を補助バッテリーからの給電に切換える様に構成した事を特徴とする、上記請求項１〜２に記載の携帯式電子機器のバッテリーロック機構。
【発明の詳細な説明】
【０００１】
【発明の属する技術分野】
本発明は、ノートパソコン、携帯電話機等のバッテリーを内蔵した携帯式電子機器のバッテリーロック機構に関する。
【０００２】
【従来の技術】
携帯電話機では、例えば特許文献１に示される様に、ボタン３をスプリング４の弾力に抗して押し込むと、フック２がスライドしてバッテリー５が外れる構造に成っている為、何らかの原因により知らない間にボタンが押し込まれてバッテリーが外れた場合には、電話機内部に記憶されたデータを消失する恐れがある。
【０００３】
又、ノートパソコン等の電子機器では、例えば特許文献２の図１２及び図１３に示される様に、解除ボタン９をスライド操作することで、バッテリーパック２１が簡単に取り外せる構造に成っており、上記特許文献１と同様に、何らかの原因により解除ボタンがスライド操作された場合にはバッテリーパックが外れ、特に正常終了しない状態でバッテリーパックが外れた場合には、記憶していないデータが消失するという問題がある。
【０００４】
【特許文献１】
特開平８−３３１２１６号公報
【特許文献２】
特開平７−３０２６３号公報
【０００５】
【発明が解決しようとする課題】
そこで本発明は、バッテリーの取り外しをツーアクションにて行い、バッテリーの不意な脱落によるデータの消失等を防止する事を目的とするものである。
【０００６】
【課題を解決するための手段】
本発明は、携帯式電子機器の適所に、一面を開口した凹状のバッテリーケースを設けると共に、このバッテリーケース内にバッテリーを着脱自在に収納するものにおいて、開口の周囲に、先端がバッテリーケースの側壁よりケース内に出没して、バッテリーの側面に設けたロック溝に係入し、かつ弾性材にて常時ロック溝との係合方向に付勢したロック手段をスライド自在に装着すると共に、ロック手段に、弾性材にて常時外側に向けて付勢されてロック手段のスライド操作を禁止し、電子機器内部方向への押し下げ操作によりロック手段のスライド操作を可能とするロックボタンを設けたものである。
【０００７】
又本発明は、ロックボタンの適所に対向位置して、このロックボタンの押し下げ操作を検出する検出スイッチを設けたものである。
【０００８】
そして又本発明は、電子機器の内部適所に補助バッテリーを設けると共に、電子機器が作動中に検出スイッチにてロックボタンの押し下げ操作を検出すると、バッテリーからの給電を補助バッテリーからの給電に切換える様に構成したものである。
【０００９】
【発明の実施の形態】
本発明の実施例を、携帯電話機を例に先ず図１に基づき説明すると、１は所謂折畳み式の携帯電話機で、本体２の一端に図示しないヒンジ機構にて蓋体３を開閉自在に枢支し、この蓋体の外表面にはアンテナ４を伸縮自在に収納している。
【００１０】
又、上記本体２の内面には図示しないテンキー等を配置していると共に、背面には図２にても示すバッテリー５を着脱自在に収納する凹状のバッテリーケース６を形成している。
【００１１】
７は、上記本体２背面のバッテリー５の一端に近接して凹設したスライド溝８内に、バッテリー５の接離方向にスライド自在に収納された解除摘みで、底面より、上記スライド溝８の底壁９に穿孔した透孔１０を貫通し、かつ先端に鉤状の爪１１・・を形成した２対の係合爪１２・・を一体に突出形成し、これら係合爪と上記透孔１０の孔縁との当接により解除摘み７のスライド範囲を規制している。
【００１２】
１３は、上記本体２内の底壁９下方に上記解除摘み７に半連動状態でスライド自在に装着したロックレバーで、上記解除摘み７の係合爪１２・・が貫通する貫通孔１４を穿孔していると共に、図３にて示す様に、上記貫通孔１４のバッテリー５寄りの係合爪１２・・との間に間隙Ａが生じる様に構成している。又、上記ロックレバー１３の、上記バッテリー５の側面１５に対向位置する先端１６は、図３にても示す様に上記バッテリーケース６の側壁１７に穿孔した窓孔１８より出没する様に構成していると共に、この先端部がバッテリー５の側面に凹設したロック溝２０に係入してバッテリーの脱落を阻止する様に構成し、上記解除摘み７とロックレバー１３にてロック手段を構成している。
【００１３】
更に、上記ロックレバー１３はコイルスプリング等の弾性材１９により、先端１６が窓孔１８より突出する方向に常時付勢していると共に、先端１６の上面にテーパ２１を形成し、バッテリー５をバッテリーケース６内に装着時には、バッテリー５のコーナー部分がテーパ２１に当接し、弾性材１９の弾力に抗してロックレバー１３を上記間隙Ａ分スライドする様に構成している。
【００１４】
２２は、上記解除摘み７の略中心部に穿孔したガイド孔２３及び上記透孔１０、貫通孔１４を各々貫通して、本体２の背面に対し垂直方向にスライド自在に収納したロックボタンで、上記ロックレバー１３の下方にこれと重ねて装着したスプリング受け２４との間に装着したコイルスプリング等の弾性材２５により常時上記ガイド孔２３より突出する方向に付勢している。
【００１５】
又、上記スプリング受け２４には上記解除摘み７の係合爪１２・・が係入してその爪１１・・が係合する一対の係合孔２７，２７を穿孔し、これらの係合によって、上記スライド溝８の底壁９とスプリング受け２４との間に、上記ロックレバー１３をスライド自在に装着すると共に、解除摘み７とスプリング受け２４との間に、上記ロックボタン２２を上下方向にスライド自在に装着する様に構成している。
【００１６】
更に上記ロックボタン２２には、上記ロックレバー１３のスライド方向に直交する方向に突出する左右一対の突条２８，２９を一体に形成していると共に、これらの突条を図４にても示す上記透孔１０の孔縁に切欠形成したロック溝３０，３０内に上下方向にスライド自在に係入し、これにより、ロックボタン２２がスライド溝８の底壁９と係合して解除摘み７のスライド操作を阻止する様に構成している。又、上記突条２８，２９の高さ寸法を、図５，６にて示す様に、ロックボタン２２を弾性材２５の弾力に抗して押し込むと、突条２８，２９が上記ロック溝３０，３０の下側に外れる様に構成し、これによりロックボタン２２と底壁９との係合が外れ、解除摘み７のスライド操作が可能となる。
【００１７】
一方、上記ロックボタン２２の一方の突条２８先端には鉤状のカム３１を一体形成すると共に、このカムに対向位置して、ロックボタン２２の押し下げ操作時にカム３１が当たって作動する様に、検出スイッチ３２の作動アーム３３を対向位置し、この検出スイッチにてロックボタン２２の押し下げ操作を検出する様に構成している。
【００１８】
図７は上記携帯電話機の制御部の一部を示す回路ブロック図で、上記バッテリー５と補助バッテリー４０の電源出力を切換え回路４１を介して、マイクロコンピュータを中心に構成した制御部４２の電源入力に接続していると共に、この制御部の入力ポートにはテンキーやファンクションキーを配設したキーボード４３や上記検出スイッチ３２を接続し、かつ同じく出力ポートには液晶パネル等で構成した表示器４５を接続し、入出力ポートには各種データ記憶用のメモリ４５を各々接続している。
【００１９】
上記制御部４２は、例えばキーボード４３から入力された情報に応じて表示器４４の表示内容を変更したり、メモリ４５に記憶されたデータに応じて制御部４２を制御する。一方、上記制御部は、検出スイッチ３２の出力より上記ロックボタン２２の押し下げ操作を検出すると、切換え回路４１を切換え操作し、補助バッテリー４０より制御部４２等に電力を供給する。
【００２０】
これらの構成により、ロックレバー１３がスライド操作されてバッテリー５が外れる前に、バッテリー５からの給電を補助バッテリー４０からの給電に確実に切換える事が出来、切換えタイミングの遅れによるデータの紛失を防止出来ると共に、何らかの原因により不用意にロックレバー１３がスライドしてバッテリー５が外れても、補助バッテリー４０からの給電によりデータの紛失等を確実に防止する事が出来るものである。
【００２１】
尚、上記実施例では補助バッテリー４０を備えているが、備えていない場合には、例えば上記検出スイッチ３２の出力より上記ロックボタン２２の押し下げ操作を検出すると、この押し下げ操作のタイミングが通話中等の機器の使用途中か否か検出し、途中であれば、上記解除摘み７がスライド操作されてバッテリー５が外れる迄に必要なデータをメモリ４５に記憶する。
【００２２】
これにより、何らかの理由により誤ってバッテリー５が外れても、必要なデータをメモリ等に記憶し、貴重なデータの紛失を防止する事が出来るものである。
【００２３】
次いでバッテリー５の着脱操作について説明すると、バッテリー５をバッテリーケース６内に装着時には、図３及び図４にて示す様に、ロックレバー１３が弾性材１９に付勢されて、その先端１６がロック溝２０内に係入してバッテリー５の脱落を防止している。又、ロックボタン２２が弾性材２５に付勢されてその上端がガイド孔２３より突出し、かつ突条２８，２９がロック溝３０，３０内に係入して解除摘み７のスライド操作を阻止している。
【００２４】
一方、バッテリー５を取り外す場合には、ロックボタン２２を押し込むことで、図６にて示す様にその突条２８，２９がロック溝３０，３０より外れて解除摘み７のスライド操作が可能となるので、図５にて示す様に解除摘み７をロックボタン２２と共にスライド操作することで、その先端１６がロック溝２０より外れてバッテリー５の取り外しが可能となる。
【００２５】
上記構成により、ロックボタン２２を押し込まないと解除摘み７のスライド操作が行えない様に構成したことで、何らかの原因により解除摘み７のスライド方向に外力が加わっても、不用意に解除摘み７がスライドすることがなく、バッテリー５の脱落による重要データの紛失等を防止する事が出来るものである。
【００２６】
尚、上記実施例では携帯式電子機器として携帯電話機を用いているが、これに限定されることなく、ノートパソコン、並びにノートパソコン用の拡張機器等、バッテリーを内蔵した携帯機器に応用することで、バッテリーの脱落や、脱落によるデータの紛失を防止し、例えばノートパソコンの場合、使用中にロックボタン２２の押し込み操作を検出すると、最新データをハードディスク等に記憶する様に構成することで、解除摘み７がスライド操作されるか否かに関わらず、データの紛失を確実に防止する事が出来るものである。
【００２７】
【発明の効果】
本発明の構成により、スライド操作によりバッテリーを取り外すロック手段に、押し込み操作によりロックレバーのスライド操作を可能とするロックボタンを設け、ロックボタンを押し下げ操作しない限りロック手段をスライド操作出来ない様に構成したことで、不用意にロック手段がスライド操作されてバッテリーが脱落することがなく、バッテリーの脱落によるデータの紛失やバッテリーの損傷等を防止する事が出来るものである。
【００２８】
又本発明の構成により、ロックボタンの押し下げ操作を検出する検出スイッチを設けたことで、この検出スイッチによりロックボタンの押し下げ操作を検出し、バッテリーの取り外し操作を事前に検出する事が出来るものである。
【００２９】
更に本発明の構成により、検出スイッチにてロックボタンの押し下げ操作を検出すると、バッテリーからの電源供給を補助バッテリーからの給電に切換える様に構成したことで、バッテリーの切換え操作をバッテリーからの給電が停止する前に、自動的かつ確実に行う事が出来るものである。
【図面の簡単な説明】
【図１】本発明による実施例を示す背面図である。
【図２】同じく要部の分解斜視図である。
【図３】図２中のＡ−Ａ断面図である。
【図４】図２中のＢ−Ｂ断面図である。
【図５】本発明による実施例の動作を示す図２中のＡ−Ａ断面図である。
【図６】同じく図２中のＢ−Ｂ断面図である。
【図７】本発明による実施例を示す回路ブロック図である。
【符号の説明】
５　　バッテリー
６　　バッテリーケース
７　　解除摘み（ロック手段）
１３　ロックレバー（ロック手段）
１７　側壁
１９　弾性材
２０　ロック溝
２２　ロックボタン
２５　弾性材
３２　検出スイッチ
４０　補助バッテリー
【図１】
2004119282.tif 000003
【図２】
2004119282.tif 000004
【図３】
2004119282.tif 000005
【図４】
2004119282.tif 000006
【図５】
2004119282.tif 000007
【図６】
2004119282.tif 000008
【図７】
2004119282.tif 000009